(57)【要約】【課題】ハッセルブラッド等の純正以外の豊富なレンズ群を装着することを可能にする、マウントアダプター付きビゾフレックスを提供する。【解決手段】距離計連動式カメラの本体と距離計連動範囲外のＭマウントレンズとの間にアクセサリーとして装着され、視野の確認および焦点調整が行なわれるビゾフレックスにおいて、ビゾフレックス本体２に備えられている第一レンズ装着用のＭマウント３から同心円状にそのＭマウント３の径よりも大きな径からなるアダプター部９を備え、このアダプター部９が、ビゾフレックス本体２のＭマウント外周部に固定される固定環部１１と、この固定環部１１の外周部から筒状に延設される筒部１２とを有し、この筒部１２内壁に、第二レンズ装着用の第二マウント１３が形成されていることを特徴とする。【選択図】図１
2015060118.tif 000002
【特許請求の範囲】
【請求項１】
距離計連動式カメラの本体と距離計連動範囲外のＭマウントレンズとの間にアクセサリーとして装着され、視野の確認および焦点調整が行なわれるビゾフレックスにおいて、
ビゾフレックス本体に備えられている第一レンズ装着用のＭマウントと同心円で且つそのＭマウントの径よりも大きな径からなるアダプター部を備え、
このアダプター部が、上記ビゾフレックス本体のＭマウント外周部に固定される固定環部と、この固定環部の外周部から筒状に延設される筒部とを有し、
この筒部の内壁に、第二レンズ装着用の第二マウントが形成されていることを特徴とするマウントアダプター付きビゾフレックス。
【請求項２】
上記第二マウントがハッセルブラッドのマウントである請求項１に記載のマウントアダプター付きビゾフレックス。
【請求項３】
上記ハッセルブラッドのレンズと上記Ｍマウントとが干渉しない位置に、上記第二マウントが形成されている請求項２に記載のマウントアダプター付きビゾフレックス。
【発明の詳細な説明】
【技術分野】
【０００１】
本発明は、ハッセルブラッド等の純正以外の豊富なレンズ群を装着するのに好適なマウントアダプター付きビゾフレックスに関するものである。
【背景技術】
【０００２】
ビゾフレックスは、距離計の連動範囲外の撮影用として、Ｍ型ライカの本体とレンズとの間に取り付けられるアクセサリーであり、視野を確認することができるとともに、マニュアル操作により焦点調整を行うことができるようになっている。
【０００３】
図３は上記ビゾフレックス３０の外観を示したものである。
【０００４】
同図において、ビゾフレックス本体３１の一方側にはレンズを装着するためのマウント３２が備えられ、他方側にはカメラ本体を取り付けるためのマウント（図では背面側になるため図示しない）が設けられている。
【０００５】
上記ビゾフレックス本体３１内には、４５°に傾斜するミラー３３が跳ね上げ可能に配置されており、そのミラー３３を介して上向きに反射させた像を、ルーペ３４から覗くことができるようになっている。
【０００６】
３５は上記ミラー３３を跳ね上げるためのレバーであり、このレバー３５の先端に設けられているネジ３６をカメラ本体のシャッターボタンのネジ孔に螺合させ、ボタン部３７を押下すれば、ミラー３３を跳ね上げた状態でシャッターを切ることができ、シャッターを切り終わると、ミラー３３が自重で元の姿勢（４５°に傾斜する）に復帰するようになっている。
【０００７】
３８は、ビゾフレックス本体３１の上部に装着された直立ルーペであり、この直立ルーペ３８は、ペンタプリズム式等の他のルーペと交換することが可能である。
【発明の概要】
【発明が解決しようとする課題】
【０００８】
しかしながら、上記ビゾフレックスを利用することにより、距離計の連動範囲外のレンズ（例えばライカ５０ｍｍ，ｆ２．０レンズ）を装着して撮影することができたとしても、ビゾフレックス３０に装着できるのはＭマウントレンズに限定されるため、描写力の異なる様々なレンズを使用することができないという不都合がある。
【０００９】
例えばビゾフレックス３０に対し、ハッセルブラッド（スウェーデンのカメラメーカー）の豊富なレンズ群を装着できれば、Ｍ型ライカのような距離計連動式のレンジファインダーカメラ（以下「距離計連動式カメラ」と記す）に対し、距離計の連動範囲外であるハッセルブラッドのレンズを装着し、焦点調整を行ないながら撮影することが可能になるというメリットがある。
【００１０】
本発明は以上のような従来のビゾフレックスにおける課題を考慮してなされたものであり、ハッセルブラッドの豊富なレンズ群を装着することができる、マウントアダプター付きビゾフレックスを提供するものである。
【課題を解決するための手段】
【００１１】
本発明は、距離計連動式カメラの本体と距離計連動範囲外のＭマウントレンズとの間にアクセサリーとして装着され、視野の確認および焦点調整が行なわれるビゾフレックスにおいて、
ビゾフレックス本体に備えられている第一レンズ装着用のＭマウントと同心円で且つそのＭマウントの径よりも大きな径からなるアダプター部を備え、
このアダプター部が、上記ビゾフレックス本体のＭマウント外周部に固定される固定環部と、この固定環部の外周部から筒状に延設される筒部とを有し、
この筒部の内壁に、第二レンズ装着用の第二マウントが形成されているマウントアダプター付きビゾフレックスである。
【００１２】
本発明の上記第二マウントとしてはハッセルブラッドのマウント（以下「ハッセルマウント」と記す）が例示される。
【００１３】
本発明において、上記ハッセルブラッドのレンズと上記Ｍマウントとが干渉しない位置に、上記第二マウントを形成することが好ましい。
【発明の効果】
【００１４】
本発明によれば、距離計連動式カメラのカメラ本体に取り付けたビゾフレックスに対し、例えばハッセルブラッドの豊富なレンズ群から選択したレンズを装着することができ、ビゾフレックスで視野の確認や焦点調整をしながら距離計連動式カメラで撮影することが可能になるという長所を有する。
【図面の簡単な説明】
【００１５】
【図１】(ａ)は本発明に係るマウントアダプター付きビゾフレックスの構成を示す正面図、(ｂ)はその左側面図である。
【図２】(ａ)は本発明のビゾフレックスの使用方法を説明するための正面図、(ｂ)はその左側面図、(ｃ)はビゾフレックスに装着されるハッセルマウントレンズの左側面図である。
【図３】従来のビゾフレックスの構成を示す斜視図である。
【発明を実施するための形態】
【００１６】
以下、図面に示した実施の形態に基づいて本発明を詳細に説明する。
【００１７】
図１は本発明のマウントアダプター付きビゾフレックスの構成を示したものであり、同図(ａ)は正面図、同図(ｂ)は左側面図を示している。
【００１８】
両図において、本発明に係るビゾフレックス１のビゾフレックス本体２（以下「本体２」と略称する）は、その一方側にＭマウントレンズを装着するためのバヨネット式Ｍマウント３（以下「Ｍマウント３」と略称する）を備え、本体２の他方側に、Ｍ型ライカのカメラ本体を取り付けるためのバヨネット式マウント４（以下「マウント４」と略称する）を備えている。
【００１９】
本体２内には、跳ね上げ式のミラー５が４５°の角度で配置されており、図示しないレンズを通して入射された像は、そのミラー５によって上向き（矢印Ａ方向）に反射され、ルーペ６を介して眺ることができるようになっている。
【００２０】
図１(ｂ)に示す符号７は、上記ミラー５を跳ね上げるためのレバーが取り付けられるレバー操作軸である。なお、説明を簡単にするためレバーの図示は省略している。
【００２１】
また、符号８は、本体２に装着された直立ルーペである。
【００２２】
この直立ルーペ８は、矢印Ｂ方向にスライドさせることにより、本体２から取り外すことができ、その逆の方向にスライドさせることにより本体２に装着できるようになっている。
【００２３】
本体２に取り付けられるルーペとしては、上記直立ルーペ８に限らず、ペンタプリズムを内蔵した直角ルーペや、４５°のアングルを持ったアングルルーペ等が示される。
【００２４】
次に、本発明の特徴部分であるアダプター部について説明する。
【００２５】
一部切り欠いた状態で示したアダプター部９は、Ｍマウント３と同心円で且つそのＭマウント３の径よりも大きな径を有しており、本体２のＭマウント３外周部に対しねじ１０を用いて固定される固定環部１１と、この固定環部１１の外周部から一体且つ筒状に延設される筒部１２とを備えている。
【００２６】
この筒部１２の内壁には、バヨネット式マウントを構成する複数の爪部１３ａが形成されており、これらの爪部１３ａは、ハッセルブラッドの交換レンズ群と係合し得るハッセルマウント（第二レンズ装着用の第二マウント）１３として機能するようになっている。
【００２７】
すなわち、本発明のビゾフレックス１の本体２には、Ｍマウント３とハッセルマウント１３の両方が干渉しない状態で備えられているため、Ｍマウントレンズを使用する場合にはＭマウント３に装着することができ、Ｍマウントレンズよりも口径の大きいハッセルブラッドのレンズを使用する場合にはハッセルマウント１３に装着することができるようになっている。
【００２８】
なお、ハッセルマウント１３は、ハッセルブラッドのレンズがＭマウント３と干渉しない位置、すなわち、Ｍマウント３よりも若干前方にシフトさせた位置に配置しており、また、ハッセルブラッドのレンズは、後玉（後端側のレンズ）がレンズ鏡胴よりも内側に配置されているため、ハッセルブラッドのレンズをハッセルマウント１３に取り付けた場合であってもＭマウント３等に接触する虞れはない。
【００２９】
次に、本発明のビゾフレックス１の使用方法について図２を参照しながら説明する。
【００３０】
なお、図２において図１と同じ構成要素については同一符号を付してその説明を省略する。
【００３１】
図２(ｃ)は、ハッセルマウントレンズ２０を示しており、同図(ｂ)はそのハッセルマウントレンズ２０をビゾフレックス１に装着した状態を示している。
【００３２】
図２(ａ)および(ｂ)において、符号２１はミラー５を跳ね上げるためのレバーであり、２１ａはそのレバー２１の先端に設けられ、カメラ本体（図示しない）のシャッターボタンのネジ孔に螺合されるボタン部である。また、２２は本体２におけるマウント４（図１(ｂ)参照）に取り付けられるキャップである。
【００３３】
ハッセルマウントレンズ２０のマウントを、ビゾフレックス１に設けられたハッセルマウント１３に係合させ、ハッセルマウントレンズ２０を所定の角度、時計回りに回転させると、ビゾフレックス１の本体２にハッセルマウントレンズ２０を装着することができる。
【００３４】
次いで、本体２の背面側に取り付けているキャップ２２を取り外し、マウント４にＭ型ライカのカメラ本体を装着する。
【００３５】
次いで、レバー２１のボタン部２１ａをカメラ本体のシャッターボタンねじ孔に螺合する。
【００３６】
上記手順によってハッセルマウントレンズ２０とビゾフレックス１とカメラ本体とが接続される。
【００３７】
この状態で、ハッセルマウントレンズ２０のピントリング２０ａを回転させると焦点の調整が行なえ、ルーペ６を介して像を眺ることにより、視野の確認が行なえる。
【００３８】
このようにして、Ｍ型ライカのカメラ本体に、従来では装着することができなかったハッセルマウントレンズ、例えば、カールツアイス社のプラナーｆ８０ｍｍを装着することが可能になる。
【００３９】
また、距離計連動式カメラに対し、距離計の連動範囲外であるハッセルマウントレンズを装着し、焦点調整を行ないながら撮影することが可能になる。
【００４０】
また、本発明において、第二マウントとしてペンタックス６７（「ペンタックス」は登録商標）用のマウントを本体２に取り付ければ、ペンタックス６７用レンズを装着することが可能になる。
【符号の説明】
【００４１】
１    ビゾフレックス
２    ビゾフレックス本体
３    バヨネット式Ｍマウント
４    バヨネット式マウント
５    ミラー
６    ルーペ
７    レバー操作軸
８    直立ルーペ
９    アダプター部
１０    ねじ
１１    固定環部
１２    筒部
１３    ハッセルマウント（第二マウント）
１３ａ  爪部
２０    ハッセルマウントレンズ
２０ａ  ピントリング
２１    レバー
２１ａ  ボタン部
２２    キャップ
【図１】
2015060118.tif 000003
【図２】
2015060118.tif 000004
【図３】
2015060118.tif 000005